(57)【要約】【課題】施工が簡単容易に行え、手摺支柱に室内外方向の大きな外力が作用してもその外力に十分対応でき、手摺支柱の倒れを防止できる手摺支柱の取付装置を提供する。【解決手段】矩形板状の基台部８とこれの上面中央部に突設された筒状枠部９とからなる取付用台枠１０を、板状基台部８の長幅方向が室内外方向を向くようにコンクリート躯体５上に配置し、板状基台部８の四隅部に取り付けられる台枠固定用アンカーボルト１１を、コンクリート躯体５に穿設したアンカー用穴１２に埋め込んで接着用樹脂１３により根固めし、取付用台枠１０の筒状枠部９内に手摺支柱１の下端部を挿入して固定する。【選択図】図２
2010048041.tif 000002
【特許請求の範囲】
【請求項１】
矩形板状の基台部とこれの上面中央部に突設された筒状枠部とからなる取付用台枠を、その板状基台部の長幅方向が室内外方向を向くようにコンクリート躯体上に配置し、板状基台部の四隅部に取り付けられる台枠固定用アンカーボルトを、コンクリート躯体に穿設したアンカー用穴に埋め込んで接着用樹脂により根固めし、この取付用台枠の筒状枠部内に手摺支柱の下端部を挿入して固定するようにしてなる手摺支柱の取付装置。
【請求項２】
筒状枠部の室内側側壁部及び室外側側壁部には板状基台部上面の室内側端部及び室外側端部との間に夫々補強リブを介設してなる請求項１に記載の手摺支柱の取付装置。
【請求項３】
取付用台枠は、その基台部をコンクリート躯体の上面に載置した状態で台枠固定用アンカーボルトによってコンクリート躯体上に固定してなる請求項１に記載の手摺支柱の取付装置。
【請求項４】
取付用台枠は、その板状基台部をコンクリート躯体の上面から所要高さ浮かした状態で台枠固定用アンカーボルトによってコンクリート躯体上に固定してなる請求項１〜３の何れかに記載の手摺支柱の取付装置。
【発明の詳細な説明】
【技術分野】
【０００１】
本発明は、コンクリート躯体上に設置される手摺りの手摺支柱取付装置に関し、特に、建物屋上の陸屋根の周囲に設置される手摺りに好適な手摺支柱の取付装置に関する。
【背景技術】
【０００２】
従来における手摺支柱の取付構造として、例えば下記特許文献１に記載のものがある。これは、アルミ押出型材からなる手摺支柱のボルトねじ込み筒部に一対のアンカーボルトの夫々一端部側をねじ込むことにより固定して、その他端部側を手摺支柱下端から突出させ、しかして両アンカーボルトの突出端部側を夫々、コンクリート躯体に穿設したアンカー用穴に埋め込んで接着用樹脂により根固めすることよって、手摺支柱をコンクリート躯体に直立状態に取り付け固定するものである。
【０００３】
このような取付構造によれば、手摺支柱の取付施工がきわめて簡単且つ容易となって、手摺り施工費の低減を図ることができる。
【特許文献１】特開２００５−２２６３７６
【発明の開示】
【発明が解決しようとする課題】
【０００４】
上記のような手摺支柱の取付構造では、手摺支柱に一端部側を直接ねじ込んで固定したアンカーボルトの他端部側をコンクリート躯体内に埋め込んで固定するようになっているから、台風時等のように手摺りが大きな風圧を受けて、その手摺支柱に室内外方向の大きな外力が作用すると、アンカーボルトがコンクリート躯体のアンカー用穴に接着材で強力に根固めされていても、手摺支柱に作用する大きな外力がそのアンカーボルトに直接かかるため、コンクリート躯体のアンカー用穴部分が破損したりして、手摺支柱が室内外方向に倒れるおそれがあった。
【０００５】
本発明は、上記の事情に鑑み、手摺支柱の取付施工が簡単容易に行えると共に、手摺支柱に室内外方向の大きな外力が作用しても、その外力に十分対応できて、手摺支柱の倒れを確実に防止できる手摺支柱の取付装置を提供することを目的とする。
【課題を解決するための手段】
【０００６】
上記課題を解決するための手段を、後述する実施形態の参照符号を付して説明すると、請求項１に係る発明の手摺支柱の取付装置は、矩形板状の基台部８とこれの上面中央部に突設された筒状枠部９とからなる取付用台枠１０を、その板状基台部８の長幅方向が室内外方向を向くようにコンクリート躯体５上に配置し、板状基台部８の四隅部に取り付けられる台枠固定用アンカーボルト１１を、コンクリート躯体５に穿設したアンカー用穴１２に埋め込んで接着用樹脂１３により根固めし、この取付用台枠１０の筒状枠部９内に手摺支柱１の下端部を挿入して固定するようにしてなることを特徴とする。
【０００７】
請求項２は、請求項１に記載の手摺支柱の取付装置において、筒状枠部９の室内側側壁部９ａ及び室外側側壁部９ｂには板状基台部８上面の室内側端部９ａ及び室外側端部９ｂとの間に夫々補強リブ１５を介設してなることを特徴とする。
【０００８】
請求項３は、請求項１に記載の手摺支柱の取付装置において、取付用台枠１０は、その板状基台部８をコンクリート躯体５の上面に載置した状態で台枠固定用アンカーボルト１１によってコンクリート躯体５上に固定してなることを特徴とする。
【０００９】
請求項４は、請求項１〜３の何れかに記載の手摺支柱の取付装置において、取付用台枠１０は、その板状基台部８をコンクリート躯体５の上面から所要高さ浮かした状態で台枠固定用アンカーボルト１１によってコンクリート躯体５上に固定してなることを特徴とする。
【発明の効果】
【００１０】
上記解決手段による発明の効果を、後述する実施形態の参照符号を付して説明すると、請求項１に係る発明によれば、取付用台枠１０を、その矩形板状基台部８の長幅方向を室内外方向に向けてコンクリートスラブ５上に配置し、この取付用台枠１０の板状基台部８の四隅部に取り付けられるアンカーボルト１１を、コンクリート躯体５に穿設したアンカー用穴１２に埋め込んで接着用樹脂１３により根固めし、筒状枠部９内に手摺支柱１の下端部を挿入して固定するようにしたから、台風時等のように手摺りＴが大きな風圧を受けて、手摺支柱１に室内外方向の大きな外力が作用しても、その外力はコンクリートスラブ５上に固定された取付用台枠１０で受け止められ、しかも取付用台枠１０の板状基台部８はその長幅方向が室内外方向を向くように配置されるから、その外力を取付用台枠１０によって有効に支持することができ、手摺支柱１の倒れを確実に防止できると共に、コンクリートスラブ５のアンカーボルト取付部分の破損を防止できる。
【００１１】
請求項２に係る発明によれば、筒状枠部９の室内側側壁部９ａ及び室外側側壁部９ｂには板状基台部８上面の室内側端部９ａ及び室外側端部９ｂとの間に夫々補強リブ１５を介設しているから、この補強リブ１５によって筒状枠部９の室内側側壁部９ａ及び室外側側壁部９ｂが十分に補強され、この室内側及び室外側の側壁部９ａ，９ｂに作用する室内外方向の大きな外力にも十分耐えることができる。
【００１２】
請求項３に係る発明によれば、取付用台枠１０は、その板状基台部８をコンクリート躯体５の上面に載置した状態で台枠固定用アンカーボルト１１によってコンクリート躯体５上に固定させるから、コンクリート躯体５上に取付用台枠１０を容易に且つ安定良く取り付けることができると共に、手摺支柱１にかかる外力を取付用台枠１０を介してコンクリート躯体５に有効に支持させることができる。
【００１３】
請求項４に係る発明によれば、取付用台枠１０は、板状基台部８をコンクリート躯体５の上面から所要高さ浮かした状態で台枠固定用アンカーボルト１１によってコンクリート躯体５上に固定させるから、防水層６の補修工事や取り換え工事を行う場合にその工事を容易に行うことができると共に、仮にこの防水層６の貫通するアンカーボルト１１の取付部分から水漏れを起こすような場合にその水漏れの発見、検知、補修が容易となる。
【発明を実施するための最良の形態】
【００１４】
以下に本発明の好適な一実施形態を図面に基づいて説明すると、図１は建物屋上の陸屋根を形成するコンクリートスラブ上に設置された本発明に係る手摺りを室内側（屋上の内側）から見た概略正面図であり、図２は図１Ｘ−Ｘ線拡大断面図、図３は図１Ｙ−Ｙ線拡大断面図である。
【００１５】
図１に示す手摺りＴは、建物屋上の陸屋根であるコンクリートスラブ（コンクリート躯体）５の周囲に設けられたパラペット７の内側沿いに設置されたもので、複数の手摺支柱１と、対向する手摺支柱１，１間に固定され、横方向に延びる上下の横桟２，３と、上下の横桟２，３間に所要間隔おきに配設される多数の手摺り子４とから構成される。コンクリートスラブ５の下面側には防水層６が設けてある。手摺支柱１、横桟２，３及び手摺り子４は夫々アルミ押出型材からなるものである。
【００１６】
本発明に係る手摺支柱１の取付構造は、矩形板状の基台部８とこの板状基台部８の上面中央部に突設された筒状枠部９とからなる取付用台枠１０をその矩形板状基台部８の長幅方向が室内外方向を向くようにコンクリートスラブ（コンクリート躯体）５上に配置し、板状基台部８の四隅部に取り付けられる台枠固定用アンカーボルト１１を、コンクリートスラブ５に穿設したアンカー用穴１２に埋め込んで接着用樹脂１３によって根固めし、この取付用台枠１０の筒状枠部９内に手摺支柱１の下端部を挿入して固定するようにしたものである。
【００１７】
上記取付構造について更に詳しく説明すれば、取付用台枠１０は、図４の(a) 〜(d) に示すように、矩形板状の基台部８と、この板状基台部８の上面中央部に突設された角筒状枠部９とからなるアルミ合金の鋳造品で、使用にあたっては、板状基台部８の長幅方向が室内外方向を向くように配置される。この板状基台部８の四隅部にはボルト挿通孔１４が設けてある。角形筒状枠部９の室内側側壁部９ａ及び室外側側壁部９ｂには板状基台部８上面の室内側端部及び室外側端部との間に夫々補強リブ１５が介設されている。
【００１８】
また、筒状枠部９の周側壁部を形成する室内側側壁部９ａ、室外側側壁部９ｂ及び左右側壁部９ｃ，９ｃの夫々外側面は、図４の(b) ，(d) から分かるように、上端部から下端部にかけて漸次肉厚となるようなテーパに形成されている。筒状枠部９の室内側及び室外側側壁部９ａ，９ｂには、上下２箇所にネジ孔１６が設けられている。また、筒状枠部９の底部を形成する板状基台部８の中央部には水抜き孔２９が設けてある。
【００１９】
上記のような取付用台枠１０の使用による手摺支柱１の取付施工について説明すると、先ず、コンクリートスラブ５の支柱取付位置に、取付用台枠１０の板状基台部８の四隅に設けてあるボルト挿通孔１４と対応する位置にアンカー用穴１２を穿設し、この穴１２にエポキシ樹脂のような熱可塑性樹脂からなる好ましくは速乾性の接着用樹脂１３を充填する。そして、コンクリートスラブ５の上面に載置した取付用台枠１０の板状基台部８の各ボルト挿通孔１４にアンカーボルト１１を挿通してアンカー用穴１２に挿入する。
【００２０】
アンカー用穴１２内の接着用樹脂１３が固化してアンカーボルト１１が穴１２内に根固めされた後、図２に示すように、各アンカーボルト１１の上端部にワッシャー１７を介して螺合したナット１８を締め付けることにより、取付用台枠１０をコンクリートスラブ５上の支柱取付位置に固定する。この時、取付用台枠１０は、図３に示すように、矩形板状基台部８の長幅方向が室内外方向を向いて固定されている。
【００２１】
こうして取付用台枠１０をコンクリートスラブ５上に固定した後、取付用台枠１０の筒状枠部９内に手摺支柱１の下端部を挿入すると共に、図２及び図３に示すように筒状枠部９内の手摺支柱１にはその室内側及び室外側側面に夫々当接する鋼板製の押え板１９を配置し、筒状枠部９の室内側側壁部９ａ及び室外側側壁部９ｂのネジ孔１６に六角穴付きの押えネジ２０を螺入して、押え板１９を手摺支柱１の室内側及び室外側側面に夫々押し付けることにより、図２に示すように室内側及び室外側の押え板１９，１９を介して手摺支柱１の下端部を取付用台枠１０の筒状枠部９内に固定する。
【００２２】
上記のような手摺支柱１の取付装置によれば、取付用台枠１０を、その矩形板状基台部８の長幅方向が室内外方向を向くようにコンクリートスラブ５上に配置して、この取付用台枠１０の板状基台部８の四隅部に取り付けられる台枠固定用のアンカーボルト１１を、コンクリート躯体５に穿設したアンカー用穴１２に埋め込んで接着用樹脂１３により根固めし、筒状枠部９内に手摺支柱１の下端部を挿入して固定するようにしたから、台風時等のように手摺りＴが大きな風圧を受けて、その手摺支柱１に室内外方向の大きな外力が作用しても、その外力はコンクリートスラブ５上に固定された取付用台枠１０で受け止められ、しかも取付用台枠１０の矩形板状基台部８がその長幅方向を室内外方向にむけて配置されるから、その外力を取付用台枠１０によって有効に支持することができ、手摺支柱１の倒れを確実に防止できると共に、コンクリートスラブ５のアンカーボルト取付部分の破損を防止することができる。
【００２３】
また取付用台枠１０は、その板状基台部８をコンクリートスラブ５の上面に載置した状態で台枠固定用アンカーボルト１１によってコンクリートスラブ５上に固定させるようにしたから、コンクリート躯体５上に取付用台枠１０を容易に且つ安定良く取り付けることができると共に、手摺支柱１にかかる外力を取付用台枠１０を介してコンクリート躯体５に有効に支持させることができる。
【００２４】
また取付用台枠１０には筒状枠部９の室内側側壁部９ａ及び室外側側壁部９ｂに、板状基台部８上面の室内側端部９ａ及び室外側端部９ｂとの間で夫々補強リブ１５が介設されているから、この補強リブ１５によって筒状枠部９の室内側側壁部９ａ及び室外側側壁部９ｂが十分に補強され、この室内側及び室外側の側壁部９ａ，９ｂに作用する室内外方向の大きな外力にも十分耐えることができる。
【００２５】
図２〜図４によって説明した実施形態では、取付用台枠１０の筒状枠部９内における手摺支柱１の固定手段として、手摺支柱１の室内側及び室外側側面に夫々当接する押え板１９，１９と、筒状枠部９の室内側側壁部９ａ及び室外側側壁部９ｂのネジ孔１６に螺入して押え板１９，１９を手摺支柱１の室内側及び室外側側面に押し付ける押えネジ２０とを使用したが、図５及び図６には手摺支柱１の筒状枠部９内に固定する他の手段を示す。
【００２６】
図５では、取付用台枠１０の筒状枠部９内に手摺支柱１の下端部を挿入すると共に、筒状枠部９内にセメントモルタル２１を充填して、このセメントモルタル２１によって手摺支柱１の下端部を筒状枠部９内に固定するようにしたものである。
【００２７】
図６では、取付用台枠１０の筒状枠部９の室内側及び室外側側壁部９ａ，９ｂに設けてあるネジ孔１６を利用し、側壁部９ａ，９ｂの上部側では一方の側壁部９ａのネジ孔１６から手摺支柱１を貫通して他方の側壁部９ｂのネジ孔のネジ孔１６にわたり、通しボルト２２を挿通すると共に、各側壁部９ａ，９ｂと手摺支柱１との間にスペーサ３０を介在し、先端部に螺合したナット２３で締め付け固定し、また側壁部９ａ，９ｂの下部側では、室内側側壁部９ａのネジ孔１６及び室外側側壁部９ｂのネジ孔１６に六角穴付き押えネジ２４を夫々ねじ込んで手摺支柱１の室内側側面及び室外側側面に押し付け圧着することによって、手摺支柱１の下端部を筒状枠部９内に固定するようにしたものである。
【００２８】
図２〜図６の実施形態では、取付用台枠１０を、筒状枠部９がコンクリートスラブ５の上面に当接した状態で台枠固定用アンカーボルト１１によってコンクリートスラブ５上に固定したが、図７に示すようにコンクリートスラブ５の表面に防水層６が設けられている場合には、取付用台枠１０をコンクリートスラブ５の上面から所要高さ浮かした状態で、台枠固定用アンカーボルト１１によってコンクリート躯体５上に固定する。こうすることによって、防水層６の補修工事や取り換え工事を行う場合にその工事を容易に行うことができると共に、仮にこの防水層６の貫通するアンカーボルト１１の取付部分から水漏れを起こすような場合にその水漏れの発見、検知、補修が容易となる。
【００２９】
この図７の実施形態では、図２〜図６の実施形態よりも長さの長いアンカーボルト１１を使用し、このアンカーボルト１１の取付けにあたって、取付用台枠１０の板状基台部８の四隅に設けてあるボルト挿通孔１４と対応する位置に、防水層６からコンクリートスラブ５にアンカー用穴１２を穿設して接着用樹脂１３を充填し、このアンカー用穴１２にアンカーボルト１１を挿入する。
【００３０】
アンカー用穴１２内の接着用樹脂１３が固化してアンカーボルト１１をアンカー用穴１２内に根固めした後、アンカーボルト１１には、防水層６を貫通する孔部分を塞ぐためのシールパッキン２５、ワッシャー２６、押えナット２７、取付用台枠固定用ナット２８，１８を取り付ける。しかして、図７に示すように、シールパッキン２５を、ワッシャー２６を介し押えナット２７で押え付けて、防水層６の孔部分をシールパッキン２５でシールし、取付用台枠固定用ナット２８，１８によって取付用台枠１０をコンクリートスラブ５の上面から所要高さ浮かした状態で固定すればよい。手摺支柱１の下端部を筒状枠部９内に固定する方法については、図７に点線で示すように図２，図３によって説明したような方法でもよいし、図５及び図６によって説明した方法でもよい。
【図面の簡単な説明】
【００３１】
【図１】建物屋上の陸屋根を形成するコンクリートスラブ上に設置された本発明に係る手摺りを室内側（屋上の内側）から見た概略正面図である。
【図２】図１Ｘ−Ｘ線拡大断面図である
【図３】図３は図１Ｙ−Ｙ線拡大断面図である。
【図４】(a) は取付用台枠の斜視図、(b) は取付用台枠の平面図、(c) は(b) のＺ−Ｚ線断面図、(d) は半断面側面図である。
【図５】他の実施形態を示す断面図である。
【図６】他の実施形態を示す正面図である。
【図７】他の実施形態を示す断面図である。
【符号の説明】
【００３２】
１            手摺支柱
５            コンクリートスラブ（コンクリート躯体）
８            板状基台部
９            筒状枠部
１０          取付用台枠
１１          台枠固定用アンカーボルト
１２          アンカー用穴
１３          接着用樹脂
１５          補強リブ
【図１】
2010048041.tif 000003
【図２】
2010048041.tif 000004
【図３】
2010048041.tif 000005
【図４】
2010048041.tif 000006
【図５】
2010048041.tif 000007
【図６】
2010048041.tif 000008
【図７】
2010048041.tif 000009